(57)【要約】【課題】複数の使用形態が可能な装置において使用されていない形態のための構成の破損が防止できる電子機器を提供する。【解決手段】壁への取り付けとテーブルへの据え置きの二つの使用形態が可能な電子機器の一態様である電話機１００は、本体１１０と、本体１１０の背面部に対して着脱可能であって壁への取り付け構造を覆うように構成されたカバー２００と、スタンド１４０とを備える。【選択図】図２
2013187670.tif 000002
【特許請求の範囲】
【請求項１】
電子機器であって、
筐体と、
前記電子機器を壁面に取り付けるために、前記筐体の背面部の一部において前記筐体と着脱可能な第１のアダプタと、
前記電子機器を置くために、前記背面部の一部において前記筐体と着脱可能な第２のアダプタとを備え、
前記第１のアダプタの装着を受けるためのはめ込み構造が、前記背面部に構成されており、
前記第２のアダプタが前記背面部の一部に取り付けられると、前記はめ込み構造が前記第２のアダプタに覆われるように、前記第２のアダプタと前記はめ込み構造とは構成されている、電子機器。
【請求項２】
前記第２のアダプタが前記背面部の一部に取り付けられると、前記背面部の残りの部分と、前記第２のアダプタの表面部分とが一つの面を形成するように、前記第２のアダプタと前記筺体とは構成されている、請求項１に記載の電子機器。
【請求項３】
前記はめ込み構造は、前記第１のアダプタが装着される場所を規定するためのガイドを含み、
前記第１のアダプタは、前記ガイドに対応するように構成されたはめ込み部を有している、請求項１または２に記載の電子機器。
【請求項４】
前記筐体は、前記電子機器に対する電力の供給を受けるケーブルが装着される端子を含み、
前記第１のアダプタは、前記ケーブルが前記端子から外れることを防止するためのケーブル支持部を含む、請求項１〜３のいずれかに記載の電子機器。
【請求項５】
前記第１のアダプタは、前記筐体からの滑りを防止するための爪部を含み、
前記筐体には、前記爪部に応じた溝部が形成されている、請求項１〜４のいずれかに記載の電子機器。
【請求項６】
スピーカと、
前記電子機器の動作を制御するためのプロセッサとをさらに備え、
前記プロセッサは、前記第１のアダプタが前記筐体に取り付けられている場合に前記スピーカから出力される音声の特性と、前記第２のアダプタが前記筐体に取り付けられる場合に前記スピーカから出力される音声の特性とを切り替えるように構成されている、請求項１〜５のいずれかに記載の電子機器。
【請求項７】
前記筐体にはスピーカの開口部が形成されており、
前記第１のアダプタは、前記開口部から出力される音声を、前記第１のアダプタの外部に出力するための音声出力路を含み、
前記音声出力路の開口部は、前記第１のアダプタの側面に形成されている、請求項１〜６のいずれかに記載の電子機器。
【発明の詳細な説明】
【技術分野】
【０００１】
本発明は、電子機器の構造に関し、より特定的には、複数の使用形態が可能な電子機器における構造に関する。
【背景技術】
【０００２】
電話機あるいはフォトフレームの使用形態として、テーブルその他の台への設置と、壁掛けとがある。
【０００３】
たとえば、非特許文献１は、インテリアや生活スタイルに合わせてテーブルに置けるとともに、壁掛けもできる電話機を開示している。
【先行技術文献】
【非特許文献】
【０００４】
【非特許文献１】http://www.sharp.co.jp/in-phone/about/
【発明の概要】
【発明が解決しようとする課題】
【０００５】
電話機やフォトフレーム本体等の薄型の機器を、台上に置く場合と壁に掛ける場合とに適用するために、従来、当該機器の本体の背面に壁掛け用アタッチメントを取り付ける為の溝または穴が設けられている。しかしながら、当該機器が台上に置かれる場合には、そおような溝または穴がそのまま露出する場合があり、溝または穴が破損する恐れがある。また、機器全体の外観の品位が低下する恐れもある。したがって、複数の使用形態が可能な装置において使用されていない形態のための構成（たとえば、溝または穴）の破損を防止するための技術、あるいは、機器全体の外観の品位の低下を防止するための技術が求められている。
【０００６】
本発明は、上述のような問題点を解決するためになされたものであって、その目的は、複数の使用形態が可能な装置において使用されていない形態のための構成の破損が防止できる電子機器を提供することである。
【課題を解決するための手段】
【０００７】
一実施の形態に従う電子機器は、筐体と、電子機器を壁面に取り付けるために、筐体の背面部の一部において筐体と着脱可能な第１のアダプタと、電子機器を置くために、背面部の一部において筐体と着脱可能な第２のアダプタとを備える。第１のアダプタの装着を受けるためのはめ込み構造が、背面部に構成されている。第２のアダプタが背面部の一部に取り付けられると、はめ込み構造が第２のアダプタに覆われるように、第２のアダプタとはめ込み構造とは構成されている。
【０００８】
好ましくは、第２のアダプタが背面部の一部に取り付けられると、背面部の残りの部分と、第２のアダプタの表面部分とが一つの面を形成するように、第２のアダプタと筺体とは構成されている。
【０００９】
好ましくは、はめ込み構造は、第１のアダプタが装着される場所を規定するためのガイドを含む。第１のアダプタは、ガイドに対応するように構成されたはめ込み部を有している。
【００１０】
好ましくは、筐体は、電子機器に対する電力の供給を受けるケーブルが装着される端子を含む。第１のアダプタは、ケーブルが端子から外れることを防止するためのケーブル支持部を含む。
【００１１】
好ましくは、第１のアダプタは、筐体からの滑りを防止するための爪部を含む。筐体には、爪部に応じた溝部が形成されている。
【００１２】
好ましくは、電子機器は、スピーカと、電子機器の動作を制御するためのプロセッサとをさらに備える。プロセッサは、第１のアダプタが筐体に取り付けられている場合にスピーカから出力される音声の特性と、第２のアダプタが筐体に取り付けられる場合にスピーカから出力される音声の特性とを切り替えるように構成されている。
【００１３】
好ましくは、筐体にはスピーカの開口部が形成されている。第１のアダプタは、開口部から出力される音声を、第１のアダプタの外部に出力するための音声出力路を含む。音声出力路の開口部は、第１のアダプタの側面に形成されている。
【発明の効果】
【００１４】
ある局面において、使用されていない形態のための構成（たとえば、溝または穴）の破損が防止される。他の局面において、電子機器全体の外観の品位の低下が防止され得る。
【００１５】
この発明の上記および他の目的、特徴、局面および利点は、添付の図面と関連して理解されるこの発明に関する次の詳細な説明から明らかとなるであろう。
【図面の簡単な説明】
【００１６】
【図１】電話機１００を平面上に置く場合に構成された状態を表わす図である。
【図２】スタンド１４０が取り付けられた電話機１００の背面を表わす図である。
【図３】スタンド１４０が取り付けられた電話機１００を下から表わす図である。
【図４】電話機１００のアタッチメントを交換することにより、壁４００に取り付けた状態を表わす図である。
【図５】アタッチメント５００が本体１１０に取り付けられた状態を表わす図である。
【図６】アタッチメント５００が電話機１００から取り外された状態を表わす図である。
【図７】アタッチメント５００が電話機１００から取り外された状態を表わす図である。
【図８】本体１１０の背面に設けられる取付部６００の構成を正面から表わす図である。
【図９】本体１１０の取付部６００と対向する面を表わす図である。
【図１０】図９に示されるアタッチメント５００のＡ−Ｂの断面を表わす図である。
【図１１】電話機１００が有するハードウェア構成を表わすブロック図である。
【図１２】本変形例に係る電話機１００の構成を表わす図である。
【図１３】本変形例に係る電話機１００およびアタッチメント１２００を横から表わす図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
［外観］
図１を参照して、本実施の形態に係る電子機器の一態様である電話機１００の構成について説明する。図１は、電話機１００を平面上に置く場合に構成された状態を表わす図である。電話機１００は、本体１１０と、モニタ１２０と、マイク１３０と、スタンド１４０と、通信ケーブル１５０と、電源ケーブル１６０とを備える。スタンド１４０は、本体１１０に対して着脱可能である。
【００１９】
なお、電子機器は、電話機１００に限られない。電子機器は、たとえば、フォトフレーム、ポータブルテレビ、ドアホンモニタ、ファクシミリ送受信機その他の機器であって、少なくとも二種類の配置、すなわち、テーブルその他の面への設置および壁掛けが可能な機器であればよい。
【００２０】
図２を参照して、電話機１００におけるスタンド１４０の取り付け状態について説明する。図２は、スタンド１４０が取り付けられた電話機１００の背面を表わす図である。
【００２１】
電話機１００が机上に置かれて用いられる場合、スタンド１４０が用いられる。このとき、スタンド１４０は、カバー２００に取り付けられ、電話機１００の本体１１０を支える。カバー２００は、本体１１０に対して着脱可能である。
【００２２】
図３を参照して、電話機１００の構成についてさらに説明する。図３は、スタンド１４０が取り付けられた電話機１００を下から表わす図である。図３に示されるように、カバー２００が取り付けられている場合、本体１１０の表面部分とカバー２００の表面部分とは、１つの面を構成するように滑らかに形成されている。
【００２３】
［壁への取り付け］
図４を参照して、電話機１００が壁４００に取り付けられる態様について説明する。図４は、電話機１００のアタッチメントを交換することにより、壁４００に取り付けた状態を表わす図である。
【００２４】
図５を参照して、電話機１００を壁４００に取り付けるための構成について説明する。図５は、アタッチメント５００が本体１１０に取り付けられた状態を表わす図である。
【００２５】
アタッチメント５００は、カバー２００とスタンド１４０とに代えて、電話機１００の本体１１０に取り付けられる。ある局面において、電話機１００を壁４００に取り付ける場合には、まず、アタッチメント５００が壁４００に固定される。固定の態様は、たとえば、ねじ形式、両面テープその他の態様が用いられる。その後、本体１１０の嵌め合い構造が、アタッチメント５００において対応するように構成された嵌め合い構造に対して適合され、電話機１００の本体１１０は、アタッチメント５００に対して固定される。
【００２６】
［２つの使用形態］
図１および図５から明らかなように、電話機１００が机、サイドテーブル等に置かれる場合には、外観品位を上げるカバー２００と電話機１００を安定して設置する為のスタンド１４０とを電話機１００の背面に取り付けることにより、電話機１００のデザイン上の品位が大きく向上し得る。一方、電話機１００を壁に掛けて使用する場合には、カバー２００とスタンド１４０とを壁掛け用のアタッチメント５００に取り換えることにより、スタンド１４０やカバー２００を用いる必要が無くなる。その結果、薄型で壁掛けに適した形態で電話機１００を壁に取り付けることができる。このような２通りの使い方が、それぞれに適した形態で実現される。
【００２７】
［背面の構造］
図６および図７を参照して、電話機１００の構成についてさらに説明する。図６および図７は、それぞれ、アタッチメント５００が電話機１００から取り外された状態を表わす図である。
【００２８】
電話機１００の本体１１０の背面には、取付部６００が構成されている。取付部６００は、アタッチメント５００に取り付けられるように、ガイド、取付部、爪またはストッパが構成されている。
【００２９】
図７を参照して、電話機１００は、アタッチメントを取り付けるための取付部６００に加えて、端子７１０と、プラグ７２０とを備える。端子７１０には、電源ケーブル１６０が装着される。プラグ７２０には、通信ケーブル１５０が装着される。
【００３０】
図８を参照して、電話機１００の取付構造についてさらに説明する。図８は、本体１１０の背面に設けられる取付部６００の構成を正面から表わす図である。
【００３１】
取付部６００は、外側ガイド８１０，８１１と、内側ガイド８２０，８２１と、凹部８３０とを備える。
【００３２】
外側ガイド８１０，８１１は、アタッチメント５００に設けられた外側の嵌め合い部分の挿入を受け付ける。内側ガイド８２０，８２１は、同様に、アタッチメント５００に設けられた内側の取付部に適合するように構成されている。
【００３３】
凹部８３０は、アタッチメント５００に設けられる爪の外れを防止するために、当該爪の形状に応じて構成されている。アタッチメント５００と取付部６００とは、凹部８３０により固定的に維持される。
【００３４】
［アタッチメント５００の構成］
図９を参照して、本実施の形態に係るアタッチメント５００の構成について説明する。図９は、本体１１０の取付部６００と対向する面を表わす図である。アタッチメント５００は、取付部９１０，９１１，９２０，９２１と、爪９３０と、ストッパ９４０と、つまみ９５０とを備える。
【００３５】
取付部９１０，９１１は、取付部６００の外側ガイド８１０，８１１に適合するように構成されている。取付部９２０，９２１は、内側ガイド８２０，８２１に適合するように構成されている。
【００３６】
爪９３０は、凹部８３０に嵌められるように構成されている。ストッパ９４０は、端子７１０に挿入される電源ケーブル１６０が本体１１０から脱落しないようにケーブルを支持する。つまみ９５０は、アタッチメント５００と本体１１０とを取り外す場合に引き上げられることにより、爪９３０を凹部８３０から離脱させる。
【００３７】
図１０を参照して、本実施の形態に係るアタッチメント５００の構成についてさらに説明する。図１０は、図９に示されるアタッチメント５００のＡ−Ｂ断面を表わす図である。
【００３８】
図１０に示されるように、アタッチメント５００には、爪９３０が構成されている。爪９３０は、凹部８３０に適合するように構成されている。
【００３９】
ストッパ９４０は、端子７１０に挿入される電源ケーブル１６０が本体１１０から脱落しないように構成されている。つまみ９５０は、電話機１００のユーザが掴むことができるように構成されている。ユーザは、つまみ９５０を引き上げてアタッチメント５００を取り外すことにより、壁掛け状態で使用されていた電話機１００をスタンド１４０を用いてテーブルに設置することができる。
【００４０】
＜第１の変形例＞
以下、本実施の形態の第１の変形例について説明する。本変形例に係る電話機１００は、アタッチメントの取り付けの有無に応じて出力される音声の特性を変更する機能を有する点で、前述の実施の形態に係る電話機１００と異なる。図１１を参照して、本変形例に係る電話機１００の構成について説明する。図１１は、電話機１００が有するハードウェア構成を表わすブロック図である。電話機１００は、アタッチメント検出器１１１０と、音声処理部１１２０と、スピーカ１１３０とを備える。
【００４１】
アタッチメント検出器１１１０は、電話機１００の本体１１０にアタッチメント５００が取り付けられているか否かを検出する。たとえば、アタッチメント５００の一部と、本体１１０の一部とが導通可能に構成されている場合、アタッチメント検出器１１１０は、アタッチメント５００が本体１１０に取り付けられたことを検知する。あるいは、他の局面において、電話機１００の使用形態を示すモードスイッチ（図示しない）が本体１１０に設けられてもよい。この場合、ユーザが電話機１００のモードスイッチを「据え置き」と「壁掛け」との間で切り替えることにより、アタッチメント検出器１１１０は、電話機１００が壁掛けの状態で用いられることを検出できる。
【００４２】
音声処理部１１２０は、電話機１００から取得される音声の特性を変更するように構成されている。たとえば、アタッチメント５００が電話機１００に取り付けられている場合、電話機１００は、壁４００に取り付けられていることになる。この場合、音声処理部１１２０は、電話機１００から出力される音声が壁４００によって反射されることにより聞こえにくくなることを防止するために、出力音声の性質を変更する。たとえば、音声処理部１１２０は、アタッチメント５００が取り付けられていない場合に比べて、出力される音声を、たとえば予め規定された周波数だけ高音寄りに設定する。
【００４３】
逆に、アタッチメント検出器１１１０がアタッチメント５００の取り付けられていないことを検知した場合には、音声処理部１１２０は、電話機１００から出力される音声の特性を、予め設定された標準的な音声として出力するように処理を実行する。
【００４４】
スピーカ１１３０は、電話機１００の通話相手の音声を出力する。音声処理部１１２０が出力される音声の特性を変更している場合には、スピーカ１１３０は、変更後の特性に従って音声を出力する。
【００４５】
＜第２の変形例＞
以下、本実施の形態の第２の変形例について説明する。本変形例に係る電話機１００は、たとえば、壁４００に取り付けられる場合に、電話機１００を壁４００に取り付けるためのアタッチメントに構成された音声出力路によって音声の出力を制御できる点で、前述の実施の形態に係る電話機または第１の変形例に係る電話機１００と異なる。図１２は、本変形例に係る電話機１００の構成を表わす図である。
【００４６】
ある局面において、電話機１００は、スピーカ１２１０，１２２０を備える。スピーカ１２１０，１２２０は、たとえば、本体１１０の背面または本体１１０の下に設けられている。本体１１０には、アタッチメント１２００が取り付けられる。この場合、アタッチメント１２００の形状は、少なくとも、電話機１００に取り付けられているスピーカ１２１０，１２２０を覆うように構成されている。
【００４７】
図１３を参照して、本変形例に係るアタッチメント１２００の構成について説明する。図１３は、本変形例に係る電話機１００およびアタッチメント１２００を横から表わす図である。
【００４８】
電話機１００がアタッチメント１２００に取り付けられると、スピーカ１２１０，１２２０の開口部（すなわち音声が出力される部位）は、アタッチメント１２００に形成された音声出力路に対応するように構成されている。音声出力路１３１０は、たとえば、アタッチメント１２００の下側に向かって音を出力するように構成されている。
【００４９】
このような構成により、電話機１００が壁４００に取り付けられる場合であっても、電話機１００から出力される音声は、アタッチメント１２００の下部に設けられた開口部から出力されるため、通話相手の音声が聞こえにくくなること、たとえば、こもって聞こえることが防止される。
【００５０】
以上のようにして、本実施の形態に係る電話機１００によると、机等に置かれる場合には電話機１００の背面に外観の品位を上げるカバー２００と、電話機１００を安定して設置するためのスタンド１４０を取り付けることにより、取り付け構造の部分の破損が防止されるとともに、デザイン上の品位が大きく向上する。
【００５１】
一方、電話機１００が壁掛けで使用される場合には、カバー２００とスタンド１４０とを壁掛け用のアタッチメント５００またはアタッチメント１２００に取り換えることができる。これにより、壁掛け時にはスタンド１４０やカバー２００が不要になるので、薄型で壁掛けに適した形態で電話機１００を壁に取り付けることができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
本明細書で開示された技術思想は、フォトフレーム、電話機、ファクシミリ送受信機、テレビその他の装置であって、少なくとも二種類の配置、すなわち、テーブルその他の面への設置および壁掛けが可能な装置に適用可能である。
【符号の説明】
【００５４】
１００  電話機、１１０  本体、１２０  モニタ、１３０  マイク、１４０  スタンド、１５０  通信ケーブル、１６０  電源ケーブル、２００  カバー、４００  壁、５００，１２００  アタッチメント、６００，９１０，９１１，９２０，９２１  取付部、７１０  端子、７２０  プラグ、８１０，８１１  外側ガイド、８２０，８２１  内側ガイド、８３０  凹部、９３０  爪、９４０  ストッパ、１１１０  アタッチメント検出器、１１２０  音声処理部、１１３０，１２１０，１２２０  スピーカ、１３１０  音声出力路。
【図１】
2013187670.tif 000003
【図２】
2013187670.tif 000004
【図３】
2013187670.tif 000005
【図４】
2013187670.tif 000006
【図５】
2013187670.tif 000007
【図６】
2013187670.tif 000008
【図７】
2013187670.tif 000009
【図８】
2013187670.tif 000010
【図９】
2013187670.tif 000011
【図１０】
2013187670.tif 000012
【図１１】
2013187670.tif 000013
【図１２】
2013187670.tif 000014
【図１３】
2013187670.tif 000015